(57)【要約】    【課題】  遮光手段の配置を容易とし、走査ユニット内で発生する不要光を該遮光手段で容易に遮光することができる光走査装置及びそれを用いたカラー画像形成装置を得ること。    【解決手段】  光源手段１ａ，１ｂから出射した光束を偏向手段４に導光する入射光学系Ｌａ，Ｌｂと、偏向手段の偏向面にて偏向走査された光束を被走査面８ａ、８ｂに結像させる結像光学系Ｍａ，Ｍｂとを有する少なくとも２つの走査ユニットＳ１，Ｓ２を偏向手段を挟んで配置された光走査装置において、２つの走査ユニットは光学基準軸Ｃ０を含む主走査平面が、偏向手段の回転軸方向に偏向手段の底面４ｃからの高さが互いに異なるように構成されていること。【選択図】    図１
2010271570.tif 000002
【特許請求の範囲】
【請求項１】
光源手段と、前記光源手段から出射した光束を偏向手段に導光する入射光学系と、前記偏向手段の偏向面にて偏向走査された光束を被走査面に結像させる結像光学系とを有する少なくとも２つの走査ユニットを前記偏向手段を挟んで配置された光走査装置において、
前記２つの走査ユニットは光学基準軸を含む主走査平面が、前記偏向手段の回転軸方向に該偏向手段の底面からの高さが互いに異なるように構成されていることを特徴とする光走査装置。
【請求項２】
前記２つの走査ユニットは光学基準軸を含む主走査平面が、前記偏向手段を挟んで互いに平行となるように構成されていることを特徴とする請求項１に記載の光走査装置。
【請求項３】
前記２つの走査ユニットは、それぞれ他方の走査ユニットで発生した不要光が、当方の走査ユニットに入射するのを防止する遮光手段を有していることを特徴とする請求項１又は２に記載の光走査装置。
【請求項４】
前記結像光学系を構成する１枚以上の結像光学素子のうち、前記偏向手段に光学的に最も近い結像光学素子は、当方の走査ユニットで発生した不要光が他方の走査ユニットの光学基準軸を含む主走査平面から遠ざかるように、副走査断面内において、該結像光学素子の光軸が偏心して配置されていることを特徴とする請求項３に記載の光走査装置。
【請求項５】
前記結像光学系を構成する１枚以上の結像光学素子のうち、副走査方向のパワーが最も大きい結像光学素子は、当方の走査ユニットで発生した不要光が他方の走査ユニットの光学基準軸を含む主走査平面から遠ざかるように、副走査断面内において、偏心して配置されていることを特徴とする請求項３に記載の光走査装置。
【請求項６】
各々が請求項１から５の何れか１項に記載の光走査装置の被走査面に配置され、互いに異なった色の画像を形成する複数の像担持体とを有することを特徴とするカラー画像形成装置。
【請求項７】
外部機器から入力した色信号を異なった色の画像データに変換して各々の光走査装置に入力せしめるプリンタコントローラを有していることを特徴とする請求項６に記載のカラー画像形成装置。
【発明の詳細な説明】
【技術分野】
【０００１】
本発明は光走査装置及びそれを用いたカラー画像形成装置に関し、電子写真プロセスを有するレーザービームプリンタやデジタル複写機やマルチファンクションプリンタ（多機能プリンタ）のカラー画像形成装置に好適なものである。
【背景技術】
【０００２】
従来よりデジタル複写機やレーザービームプリンタ（ＬＢＰ）等の画像形成装置においては光走査装置が用いられている。この種の光走査装置においては、装置全体の小型化を図る為の手段として、光偏向器を挟んで走査ユニットを複数配置した対向走査ユニットが用いられている。この対向走査ユニットを用いた光走査装置では、複数の光束を同一の光偏向器により走査し、前記光偏向器を挟んで両側に配置した結像光学系によりそれぞれ異なる被走査面上へ光束を導いている。このような方法を用いた光走査装置は従来から種々提案されている（特許文献１、２、３参照）。
【０００３】
特許文献１には、２つの光源手段から出射した光束を共通の光偏向器の異なる偏向面で偏向反射し、光偏向器を挟んで設けた２つの結像光学系によりそれぞれ異なる被走査面上にスポット状に結像し、画像を形成する構成が開示されている。
【０００４】
このような光偏向器を挟んで結像光学系の光軸を略平行に配置した場合の問題点は、一方の結像光学系から発生した不要光が光偏向器をまたいで他方の結像光学系へ入射し、被走査面上に到達して画像劣化を引き起こすことである。尚、不要光とは迷光やゴースト光のことである。
【０００５】
不要光は光偏向器の内接円径を少しでも超えた領域から発生する（特許文献１に開示された図３ｂ）ため上記公報では光偏向器のハウジング部材の一部を遮光壁として形成することで不要光対策としている。
【０００６】
またハウジング部材で覆えない領域は別途遮光部材(遮光板）を設けている（特許文献１に開示された図１）。特許文献１のハウジング部材は光偏向器としての回転多面鏡の汚れ防止および風切音の防音対策を目的に設けられたポリゴンミラーの覆いである。また、不要光対策の別の手段として、特許文献２には共通の光偏向器を有し、偏向面に副走査方向から斜めに入射させるとともに、光偏向器を挟んだ入射光学系の斜め入射角を異ならせる方法が開示されている。この構成によれば一方の結像光学系で反射された不要光は光偏向器を挟んだ他方の結像光学系へ到達する高さおよび角度が異なるため、他方の結像光学系を透過して被走査面上に到達することがない。同公報では、オーバーフィルド型光学系を例にしているが、アンダーフィルド型光学系でも同様の効果がある。
【０００７】
さらに特許文献３にはオーバーフィルド型光学系の不要光対策として２つの遮光部材を、その外接円の外側に配置している。そして双方の遮光部材の対面する一端部間の間隔が内接円の直径よりも短くなるようにしていることが開示されている。
【先行技術文献】
【特許文献】
【０００８】
【特許文献１】特開平１０−１４８７８１号公報
【特許文献２】特開平  ９−１９７３０９号公報
【特許文献３】特開平  ９−１９７３１５号公報
【発明の概要】
【発明が解決しようとする課題】
【０００９】
上記従来の特許文献３でも開示のとおり不要光を遮光するための遮光部材は回転多面鏡の外接円の外側であって、遮光部材の対面する一端部間の距離を内接円径より内側に延在させている。しかしながら偏向面近傍には光源手段から入射する光束および光偏向器で偏向反射された走査光が存在する。このため、これらの光束と干渉しないように不要光を完全に遮光する遮光部材を配置するのは難しいという問題点があった。また、走査光学系の書き出し位置を検出するために、書き出し位置検出用光学系（ＢＤ光学系）は、通常入射光学系側に配置される。このため偏向面に入射させる入射光学系の角度は大きくなり、遮光部材を配置するスペースが少なくなり、さらに配置が困難になるという問題点もある。
【００１０】
本発明は遮光手段の配置を容易とし、走査ユニット内で発生する不要光を該遮光手段で容易に遮光することができる光走査装置及びそれを用いたカラー画像形成装置の提供を目的とする。
【課題を解決するための手段】
【００１１】
請求項１の発明の光走査装置は、
光源手段と、前記光源手段から出射した光束を偏向手段に導光する入射光学系と、前記偏向手段の偏向面にて偏向走査された光束を被走査面に結像させる結像光学系とを有する少なくとも２つの走査ユニットを前記偏向手段を挟んで配置された光走査装置において、
前記２つの走査ユニットは光学基準軸を含む主走査平面が、前記偏向手段の回転軸方向に該偏向手段の底面からの高さが互いに異なるように構成されていることを特徴としている。
【００１２】
請求項２の発明は請求項１の発明において、
前記２つの走査ユニットは光学基準軸を含む主走査平面が、前記偏向手段を挟んで互いに平行となるように構成されていることを特徴としている。
【００１３】
請求項３の発明は請求項１又は２の発明において、
前記２つの走査ユニットは、それぞれ他方の走査ユニットで発生した不要光が、当方の走査ユニットに入射するのを防止する遮光手段を有していることを特徴としている。
【００１４】
請求項４の発明は請求項３の発明において、
前記結像光学系を構成する１枚以上の結像光学素子のうち、前記偏向手段に光学的に最も近い結像光学素子は、当方の走査ユニットで発生した不要光が他方の走査ユニットの光学基準軸を含む主走査平面から遠ざかるように、副走査断面内において、該結像光学素子の光軸が偏心して配置されていることを特徴としている。
【００１５】
請求項５の発明は請求項３の発明において、
前記結像光学系を構成する１枚以上の結像光学素子のうち、副走査方向のパワーが最も大きい結像光学素子は、当方の走査ユニットで発生した不要光が他方の走査ユニットの光学基準軸を含む主走査平面から遠ざかるように、副走査断面内において、偏心して配置されていることを特徴としている。
【００１６】
請求項６の発明のカラー画像形成装置は、
各々が請求項１から５の何れか１項に記載の光走査装置の被走査面に配置され、互いに異なった色の画像を形成する複数の像担持体とを有することを特徴としている。
【００１７】
請求項７の発明は請求項６の発明において、
外部機器から入力した色信号を異なった色の画像データに変換して各々の光走査装置に入力せしめるプリンタコントローラを有していることを特徴としている。
【発明の効果】
【００１８】
本発明によれば遮光手段の配置を容易とし、走査ユニット内で発生する不要光を該遮光手段で容易に遮光することができる光走査装置及びそれを用いたカラー画像形成装置を達成することができる。
【図面の簡単な説明】
【００１９】
【図１】本発明の実施例１の光走査装置の主走査及び副走査断面図
【図２】本発明の実施例２の光走査装置の主走査及び副走査断面図
【図３】本発明の実施例３の光走査装置の主走査及び副走査断面図
【図４】本発明のカラー画像形成装置の要部断面図
【発明を実施するための形態】
【００２０】
本発明の光走査装置は、光源手段と、光源手段から出射した光束を偏向手段に導光する入射光学系と、偏向手段の偏向面にて偏向走査された光束を被走査面に結像させる結像光学系とを有する少なくとも２つの走査ユニットを偏向手段を挟んで配置されている。そして２つの走査ユニットは光学基準軸を含む主走査平面が、偏向手段の回転軸方向に偏向手段の底面からの高さが互いに異なるように構成されている。以下、図面を用いて本発明の実施例を説明する。
【実施例１】
【００２１】
図１（Ａ），（Ｂ）は各々本発明の実施例１の光走査装置の要部断面図である。図１（Ａ）は主走査方向の要部断面図（主走査断面図）、図１（Ｂ）は本発明の実施例１の副走査方向の要部断面図（副走査断面図）である。
【００２２】
尚、以下の説明において、副走査方向（Ｚ方向）とは、偏向手段の回転軸と平行な方向である。主走査平面（主走査断面）とは、副走査方向（偏向手段の回転軸と平行な方向）を法線とする断面である。主走査方向（Ｙ方向）とは、偏向手段で偏向走査される光束を主走査断面に投射した方向である。副走査平面（副走査断面）とは、主走査方向を法線とする断面である。
【００２３】
本実施例の光走査装置は偏向手段としての光偏向器（ポリゴンミラー）４を挟み２つの結像光学系（ｆθレンズ系）Ｍａ，Ｍｂを備え、それぞれの結像光学系Ｍａ，Ｍｂへ光束を入射させて１つの光偏向器４により同時に２本の光束を偏向反射する。そして２本の光束をそれぞれに対応した被走査面としての感光ドラム面８ａ,８ｂに導光し、該感光ドラム面８ａ,８ｂ上を光走査するタンデム型の光走査装置(カラー画像形成装置）である。
【００２４】
図中、Ｓ１，Ｓ２は各々第１、第２の走査ユニット（対向走査光学系）である。以下、第１、第２の走査ユニットＳ１，Ｓ２の各部材については第１の走査ユニットＳ１を中心に述べる。そして第２の走査ユニットＳ２の各部材のうち第１の走査ユニットＳ１と同じ部材については括弧を付して示す。
【００２５】
第１（第２）の走査ユニットＳ１（Ｓ２）は、光源手段１ａ（１ｂ）からの光束の状態を他の光束の状態に変換する第１の光学素子２ａ（２ｂ）と、主走査方向に長い線像として結像させる第２の光学素子３ａ（３ｂ）と有している。さらに偏向手段としての光偏向器４と、光偏向器４で偏向反射された光束を被走査面としての感光ドラム面８ａ（８ｂ）にスポットに形成する結像光学系Ｍａ（Ｍｂ）を有している。
【００２６】
本実施例においては第１、第２の走査ユニットＳ１，Ｓ２が同一の光偏向器４を併用している。また本実施例においては第１、第２の走査ユニットＳ１、Ｓ２の被走査面８ａ,８ｂへの書き出しタイミングを光偏向器４の偏向面４ａで偏向された光束を用いて１つの書き出し位置検知手段（ＢＤ光学系）１６で検出している。そして書き出し位置検知手段１６で検知された信号を用いて感光ドラム面８ａ,８ｂへの書き出しタイミングを決定している。尚、書き出し位置検知手段１６は、同期検知用の結像レンズ１６ａ、スリット１６ｂ、受光センサー１６ｃ等を有している。
【００２７】
上記第１、第２の走査ユニットＳ１，Ｓ２において、光源手段１ａ・１ｂは各々単一の発光点(発光部）を有する半導体レーザより成っている。尚、本実施例では光源手段１ａ・１ｂを各々単一の発光点を有する半導体レーザより構成したが、これに限らず、複数の発光点を有するマルチ半導体レーザより構成しても良い。
【００２８】
第１の光学素子２ａ・２ｂは各々コリメーターレンズより成り、光源手段１ａ・１ｂから出射された光束を平行光束（もしくは発散光束もしくは収束光束）に変換している。第２の光学素子３ａ・３ｂは各々シリンドリカルレンズより成り、副走査断面内（副走査方向）のみに屈折力(パワー）を有している。
【００２９】
尚、コリメーターレンズ２ａ（２ｂ）とシリンドリカルレンズ３ａ（３ｂ）を１つの光学素子(アナモフィックレンズ）より構成しても良い。また、コリメーターレンズ２ａ（２ｂ）、シリンドリカルレンズ３ａ（３ｂ）の各要素は入射光学系Ｌａ（Ｌｂ）の一要素を構成している。
【００３０】
光偏向器４は、偏向面数が６面より成る回転多面鏡（ポリゴンミラー）より成り、モーターの駆動手段（不図示）により図中矢印Ａ方向に一定速度で回転している。本実施例においては上記の如く第１、第２の走査ユニットＳ１，Ｓ２がこの光偏向器４を併用しており、かつ第１、第２の走査ユニットＳ１，Ｓ２は、該光偏向器４の異なった偏向面４ａ，４ｂで偏向反射した光束を用いている。
【００３１】
Ｍａ（Ｍｂ）は集光機能とｆθ特性とを有する結像光学系（ｆθレンズ系）であり、第１、第２の結像レンズ５ａ，６ａ（５ｂ，６ｂ）より成っている。結像光学系Ｍａ（Ｍｂ）は光偏向器４により偏向反射された光束を対応する被走査面８ａ（８ｂ）上にスポット状に結像させている。また結像光学系Ｍａ（Ｍｂ）は副走査断面内において光偏向器４の偏向面４ａ（４ｂ）と被走査面８ａ（８ｂ）との間を共役関係にすることにより、面倒れ補正機能を有している。７ａ（７ｂ）は第１（第２）の走査ユニットＳ１（Ｓ２）の走査光束である。
【００３２】
Ｃ０は光学基準軸である。ここで、光学基準軸Ｃ０とは、入射光学系を出射した光束の主光線が光偏向器の偏向面で偏向走査されて被走査面中心に入射するとき、副走査断面内において、光束の主光線の偏向面への入射点を通り、偏向面に対して垂直な軸のことである。１２ａ（１２ｂ）は遮光手段としての遮光部材(遮光板）であり、光偏向器４の外接円径より外側で、かつ光偏向器４と第１の結像レンズ５ａ（５ｂ）との間に配置されている。遮光部材１２ａ（１２ｂ）は、他方の走査ユニットＳ２（Ｓ１）で発生した不要光９ｂ（９ａ）を当方の走査ユニットＳ１（Ｓ２）に入射するのを防止している。
【００３３】
本実施例においては、画像情報に応じて光源手段１ａ（１ｂ）から光変調され出射した光束がコリメーターレンズ２ａ（２ｂ）により平行光束もしくは収束光束に変換され、シリンドリカルレンズ３ａ（３ｂ）に入射する。シリンドリカルレンズ３ａ（３ｂ）に入射した光束のうち主走査断面内においてはそのままの状態で出射する。また副走査断面内においては収束して光偏向器４の偏向面４ａ（４ｂ）に線像（主走査方向に長手の線像）として結像する。そして光偏向器４の偏向面４ａ（４ｂ）で偏向反射された光束は結像光学系Ｍａ（Ｍｂ）により感光ドラム面８ａ（８ｂ）上にスポット状に結像される。そして光偏向器４を矢印Ａ方向に回転させることによって、感光ドラム面８ａ（８ｂ）上を矢印Ｂ方向（主走査方向）に等速度で光走査している。これにより記録媒体である感光ドラム面８ａ（８ｂ）上に画像記録を行っている。
【００３４】
従来から光偏向器を挟んで走査ユニットを２つ配置した光走査装置の場合、一方の走査ユニットで発生した不要光が光偏向器をまたいで他方の走査ユニットへ入射し、被走査面上に到達して画像劣化を引き起こすという問題点があった。この不要光を遮光するために前述した従来では、光偏向器の偏向面近傍（光偏向器の内接円径より内側）に配置した遮光部材を用いて遮光していた。しかしながら、光偏向器の偏向面近傍には、入射光学系からの光束や光偏向器で偏向された光束があるため、これらの光束と干渉しないように遮光部材を配置するには、スペースが狭く、配置するのが困難であった。そのため従来では不要光を完全に遮光することは容易ではなかった。
【００３５】
そこで、本実施例においては、第１、第２の走査ユニットＳ１，Ｓ２の光学基準軸Ｃ０を含む主走査平面が、光偏向器４の回転軸方向(副走査方向）に光偏向器４の底面４ｃからの高さが互いに異なるように構成している。つまり、図１（Ｂ）に示すように光学基準軸Ｃ０を含むそれぞれの主走査平面が光偏向器４を挟んで副走査方向に所定の間隔を有するように構成している。また、光学基準軸Ｃ０を含むそれぞれの主走査平面が光偏向器４を挟んで互いに平行となるように構成している。
【００３６】
これにより本実施例では遮光部材１２ｂ（１２ａ）の配置スペースが広くなり、該遮光部材１２ｂ（１２ａ）の配置を容易としている。これにより例えば第１の結像レンズ５ａ（５ｂ）の表面５ａ１（５ｂ１）で反射され光偏向器４の横を通過して他方の結像光学系Ｍｂ（Ｍａ）へ向かう不要光９ａ（９ｂ）が存在していたとする。このとき不要光９ａ（９ｂ）を走査ユニットＳ２（Ｓ１）内に配置した遮光部材１２ｂ（１２ａ）で容易に遮光することができる。
【００３７】
このように本実施例では上述した如く光走査装置を構成することにより、対向する走査ユニットからの不要光を遮光手段で容易に遮光している。これにより本実施例では簡易な構成で高品質な画像を得ている。
【００３８】
尚、本実施例では結像光学系を２枚のレンズより構成したが、これに限らず、１枚もしくは３枚以上のレンズより構成しても良い。また、走査ユニットは少なくとも２つ有していれば良いが、２つに限らず複数（２以上）の光偏向器４を共通として対向配置しても良い。
【実施例２】
【００３９】
図２（Ａ），（Ｂ）は各々本発明の実施例２の光走査装置の要部断面図である。図２（Ａ）は主走査方向の要部断面図（主走査断面図）、図２（Ｂ）は副走査方向の要部断面図（副走査断面図）である。図２において図１に示した要素と同一要素には同符番を付している。
【００４０】
本実施例において前述の実施例１と異なる点は、結像光学系Ｍａ（Ｍｂ）を構成する１枚以上の結像光学素子（結像レンズ）のうち、副走査方向のパワーが最も大きい結像レンズを偏心させたことである。その他の構成及び光学的作用は実施例１と同様であり、これにより同様な効果を得ている。
【００４１】
つまり、同図において、Ｍａ（Ｍｂ）は集光機能とｆθ特性とを有する結像光学系（ｆθレンズ系）であり、第１、第２の結像レンズ１５ａ，１６ａ（１５ｂ，１６ｂ）より成っている。結像光学系Ｍａ（Ｍｂ）は光偏向器４により偏向反射された複数の光束を対応する被走査面８ａ（８ｂ）上にスポット状に結像させている。また結像光学系Ｍａ（Ｍｂ）は副走査断面内において光偏向器４の偏向面４ａ（４ｂ）と被走査面８ａ（８ｂ）との間を共役関係にすることにより、面倒れ補正機能を有している。
【００４２】
本実施例では、結像光学系Ｍａ（Ｍｂ）を構成する第１、第２の結像レンズ１５ａ，１６ａ（１５ｂ，１６ｂ）のうち、副走査方向のパワーが最も大きい第１の結像レンズ１５ａ（１５ｂ）を以下の如く配置している。つまり、第１の結像レンズ１５ａ（１５ｂ）を走査ユニットＳ１（Ｓ２）で発生した不要光９ａ（９ｂ）が他方の走査ユニットＳ２（Ｓ１）の光学基準軸Ｃ０を含む主走査平面から遠ざかるように、副走査断面内において、偏心配置（チルト）している。これにより、本実施例では、第１の結像レンズ１５ａ（１５ｂ）の表面１５ａ１（１５ｂ１）で反射して発生する不要光９ａ（９ｂ）を対向する走査ユニットＳ２（Ｓ１）の光学基準軸Ｃ０を含む主走査平面から離れる(遠ざかる）方向に向かわせている。これにより、第１の結像レンズ１５ａ（１５ｂ）で発生した不要光９ａ（９ｂ）を第２（第１）の走査ユニットＳ２（Ｓ１）内に設けた遮光部材１２ｂ（１２ａ）で容易に遮光している。
【００４３】
このように本実施例では上述した如く第１の結像レンズを副走査面内でチルトさせることにより、対向する走査ユニットからの不要光を遮光部材で容易に遮光することができる。これにより本実施例では前述した実施例１より、容易に不要光を遮光することができる。
【実施例３】
【００４４】
図３（Ａ），（Ｂ）は各々本発明の実施例３の光走査装置の要部断面図である。図３（Ａ）は主走査方向の要部断面図（主走査断面図）、図３（Ｂ）は副走査方向の要部断面図（副走査断面図）である。図３において図１に示した要素と同一要素には同符番を付している。
【００４５】
本実施例において前述の実施例１と異なる点は光偏向器４に光学的に最も近い結像レンズを偏心させたことである。その他の構成及び光学的作用は実施例１と同様であり、これにより同様な効果を得ている。
【００４６】
つまり、同図において、Ｍａ（Ｍｂ）は集光機能とｆθ特性とを有する結像光学系（ｆθレンズ系）であり、第１、第２の結像レンズ２５ａ，２６ａ（２５ｂ，２５ｂ）より成っている。結像光学系Ｍａ（Ｍｂ）は光偏向器４により偏向反射された複数の光束を対応する被走査面８ａ（８ｂ）上にスポット状に結像させている。また結像光学系Ｍａ（Ｍｂ）は副走査断面内において光偏向器４の偏向面４ａ（４ｂ）と被走査面８ａ（８ｂ）との間を共役関係にすることにより、面倒れ補正機能を有している。
【００４７】
本実施例では、結像光学系Ｍａ（Ｍｂ）を構成する第１、第２の結像レンズ２５ａ，２６ａ（１５ｂ，１６ｂ）のうち、光偏向器４に光学的に最も近い第１の結像レンズ２５ａ（２５ｂ）の光軸Ｈ０を以下の如く配置している。つまり、第１の結像レンズ２５ａ（２５ｂ）の光軸Ｈ０を、走査ユニットＳ１（Ｓ２）で発生した不要光９ａ（９ｂ）が他方の走査ユニットＳ２（Ｓ１）の主走査平面から遠ざかるように、副走査断面内において、偏心配置（シフト）している。これにより、本実施例では、第１の結像レンズ２５ａ（２５ｂ）の表面２５ａ１（２５ｂ１）で反射して発生する不要光９ａ（９ｂ）を対向する走査ユニットＳ２（Ｓ１）の光学基準軸Ｃ０を含む主走査平面から離れる(遠ざかる）方向に向かわせている。これにより、第１の結像レンズ２５ａ（２５ｂ）で発生した不要光９ａ（９ｂ）を第２（第１）の走査ユニットＳ２（Ｓ１）内に設けた遮光部材１２ｂ（１２ａ）で容易に遮光している。
【００４８】
このように本実施例では上述した如く第１の結像レンズの光軸Ｈ０を副走査面内でシフトさせることにより、対向する走査ユニットからの不要光を遮光部材で容易に遮光することができる。これにより本実施例では前述した実施例１より、容易に不要光を遮光することができる。なお、シフトさせる結像レンズは結像光学系Ｍａ（Ｍｂ）を構成する複数の結像レンズのうち、副走査方向のパワーが最も強い結像レンズであれば、尚いっそうの効果が得られる。
【００４９】
［カラー画像形成装置］
図４は本発明の実施例のカラー画像形成装置の要部概略図である。本実施例は、光走査装置を２個並べ各々並行して像担持体である感光ドラム面上に画像情報を記録するタンデムタイプのカラー画像形成装置である。図４において、６０はカラー画像形成装置、１１，１２は実施例１〜３に示したいずれかの構成を有する光走査装置、２１，２２，２３，２４は各々像担持体としての感光ドラム、３１，３２，３３，３４は各々現像器、５１は搬送ベルトである。
【００５０】
図４において、カラー画像形成装置６０には、パーソナルコンピュータの外部機器５２からＲ（レッド）、Ｇ（グリーン）、Ｂ（ブルー）の各色信号が入力する。これらの色信号は、装置内のプリンタコントローラ５３によって、Ｃ（シアン），Ｍ（マゼンタ），Ｙ（イエロー）、Ｂ（ブラック）の各画像データ（ドットデータ）に変換される。これらの画像データは、光走査装置１１，１２に入力される。そして、光走査装置１１，１２からは、各画像データに応じて変調された光ビーム４１，４２，４３，４４が出射され、これらの光ビームによって感光ドラム２１，２２，２３，２４の感光面が主走査方向に走査される。
【００５１】
本実施例におけるカラー画像形成装置は２つの走査ユニットからなる２つの光走査装置１１，１２を並べて配置している。そして各々の光束がＣ（シアン），Ｍ（マゼンタ），Ｙ（イエロー）、Ｂ（ブラック）の各色に対応し、各々平行して感光ドラム２１，２２，２３，２４面上に画像信号（画像情報）を記録し、カラー画像を高速に印字するものである。本実施例におけるカラー画像形成装置は上述の如く２つの走査ユニットからなる２つの光走査装置１１，１２により各々の画像データに基づいた光ビームを用いて各色の潜像を各々対応する感光ドラム２１，２２，２３，２４面上に形成している。その後、記録材に多重転写して１枚のフルカラー画像を形成している。前記外部機器５２としては、ＣＣＤセンサを備えたカラー画像読取装置が用いられても良い。この場合には、このカラー画像読取装置と、カラー画像形成装置６０とで、カラーデジタル複写機が構成される。
【符号の説明】
【００５２】
１ａ，１ｂ  光源手段
４  偏向手段（ポリゴンミラー）
Ｍａ，Ｍｂ  結像光学系（ｆθレンズ系）
８ａ,８ｂ  被走査面（感光ドラム面）
Ｓ１，Ｓ２  走査ユニット
Ｌａ，Ｌｂ  入射光学系
【図１】
2010271570.tif 000003
【図２】
2010271570.tif 000004
【図３】
2010271570.tif 000005
【図４】
2010271570.tif 000006